(57)【要約】【課題】商品の高さに応じて当該商品の落下を防止するための棚ガード部材を交換することなく、当該商品落下防止用のガードの取付高さを容易に変更することができるショーケースを提供する。【解決手段】ショーケース１は、上下に渡って複数の係合孔３３、３４を備えた前支柱７及び後支柱８に、商品陳列用の棚２を架設して成るものであって、棚２の縁部上方に設けられる商品落下防止用のガード４３を備える。この商品落下防止用のガード４３は、線条などにより構成されるガード本体４４と、ガード保持部４５Ａを有するガード受け４５とから構成され、ガード受け４５を介在させてガード本体４４を前支柱７に形成される係合孔３４に係脱自在に取り付けた。【選択図】図３
2006102345.tif 000002
【特許請求の範囲】
【請求項１】
上下に渡って複数の係合孔を備えた支柱に、商品陳列用の棚を架設して成るショーケースにおいて、
前記棚の縁部上方に設けられる商品落下防止用のガードを備え、
該商品落下防止用のガードを前記係合孔に係脱自在に取り付けたことを特徴とするショーケース。
【請求項２】
前記商品落下防止用のガードは、前記棚の長手方向に渡って延在するガード本体と、該ガード本体を受けるガード受けとから成り、
該ガード受けを前記係合孔に係脱自在に取り付けたことを特徴とする請求項１のショーケース。
【請求項３】
前記ガード受けは、複数の前記係合孔にそれぞれ係合される複数の係合爪を備えることを特徴とする請求項２のショーケース。
【請求項４】
前記ガード受けは、前記ガード本体を保持するガード保持部を有すると共に、
当該ガード保持部は、前記棚内方に向けて開口し、前記ガード本体を保持することを特徴とする請求項２又は請求項３のショーケース。
【請求項５】
前記ガード受けは、前記ガード本体を保持するガード保持部を有すると共に、
当該ガード保持部は、上方に開口し、前記ガード本体を保持することを特徴とする請求項２又は請求項３のショーケース。
【発明の詳細な説明】
【技術分野】
【０００１】
本発明は、商品陳列用の棚に缶飲料やペットボトル入り飲料などの商品を載置するショーケースに関するものである。
【背景技術】
【０００２】
従来より此の種ショーケースは、スーパーマーケットやコンビニエンスストアなどの店舗に設置され、商品の陳列販売に供されている。特に、缶飲料やペットボトル入り飲料を加温して販売するホット販売用のショーケースは、例えば、図９に示すショーケース１００がある。ショーケース１００は、周囲を透明ガラス１０１にて囲繞された陳列室１０２を備え、この陳列室１０２の上部に、下面に図示しないヒータを備えた複数段の棚１０３を架設すると共に、陳列室１０２の下部に網棚にて構成される複数段の棚１０４を架設して、これら棚１０３、１０４上に商品を陳列している。陳列室１０２の前面若しくは前後面は透明ガラスから成る扉１０５にて開閉自在とされており、棚１０３、１０４は陳列室１０２の四隅に立設された棚支柱１０６に架設されている。
【０００３】
ここで、陳列室１０２上部に架設される棚１０３は、金属板１０３Ａと、係る金属板周縁に設けられる枠材１０３Ｂとで構成され、棚１０３前縁には、枠材１０３Ｂにスポット溶接などにより固定される棚ガード１０７が設けられている。これにより、棚１０３上に陳列される商品が落下するのを未然に防止していた。
【０００４】
他方、陳列室１０２下部に架設される棚１０４は、網棚により構成され、図９に示されるように周縁が少許上方に折曲形成され、棚１０４上に陳列される商品が落下するのを未然に防止していた。
【０００５】
また、上記以外にも、棚板の前端部上方において左右方向に延在するワイヤーを棚板にスポット溶接などにより固定し、これによって、棚上に陳列される商品が落下するのを未然に防止していた（例えば、特許文献１参照）。
【特許文献１】特開平８−１９６３９５号公報
【発明の開示】
【発明が解決しようとする課題】
【０００６】
しかしながら、従来の棚に設けられる棚ガードなどの商品落下防止手段は、棚上面から予め決められた一つの高さのみに位置するものであるため、昨今多様化する商品の高さ寸法に対応することができないという問題があった。そこで、それぞれの商品、例えば５００ｍｌのペットボトル飲料、３５０ｍｌのペットボトル飲料や、栄養ドリンクなどに用いられる５０ｍｌの瓶飲料にそれぞれ応じた高さ寸法に棚ガードが設けられる棚を用意する必要がある。その場合には、載置される飲料が変更される度に、棚ごと交換作業を行わなければならないという問題があった。
【０００７】
そこで、棚ガードを棚に差し込み固定することで着脱自在に設け、商品の高さ寸法に応じた高さの棚ガードを選択して使用することが考えられるが、高さ調整を行うために、複数の棚ガードを用意しなければならないという問題がある。また、棚上面に棚ガードを差し込み固定することで、棚ガードを差し込む箇所に棚前方に加わる力が集中することとなる。そのため、格別に棚ガードや棚自体の強度を向上させる必要があり、場合によっては、棚自体が破損するおそれがある。
【０００８】
本発明は、係る従来の技術的課題を解決するために成されたものであり、商品の高さに応じて棚ガード部材を交換することなく、当該商品落下防止用のガードの取付高さを容易に変更することができるショーケースを提供することを目的とする。
【課題を解決するための手段】
【０００９】
本発明のショーケースは、上下に渡って複数の係合孔を備えた支柱に、商品陳列用の棚を架設して成るものであって、棚の縁部上方に設けられる商品落下防止用のガードを備え、該商品落下防止用のガードを係合孔に係脱自在に取り付けたことを特徴とする。
【００１０】
請求項２の発明は、上記発明において、商品落下防止用のガードは、棚の長手方向に渡って延在するガード本体と、該ガード本体を受けるガード受けとから成り、該ガード受けを係合孔に係脱自在に取り付けたことを特徴とする。
【００１１】
請求項３の発明は、上記発明において、ガード受けは、複数の係合孔にそれぞれ係合される複数の係合爪を備えることを特徴とする。
【００１２】
請求項４の発明は、請求項２又は請求項３の発明において、ガード受けは、ガード本体を保持するガード保持部を有すると共に、当該ガード保持部は、棚内方に向けて開口し、ガード本体を保持することを特徴とする。
【００１３】
請求項５の発明は、請求項２又は請求項３の発明において、ガード受けは、ガード本体を保持するガード保持部を有すると共に、当該ガード保持部は、上方に開口し、ガード本体を保持することを特徴とする。
【発明の効果】
【００１４】
本発明では、上下に渡って複数の係合孔を備えた支柱に、商品陳列用の棚を架設して成るショーケースにおいて、棚の縁部上方に設けられる商品落下防止用のガードを備え、該商品落下防止用のガードを係合孔に係脱自在に取り付けたので、棚を保持する係合孔を用いて商品落下防止用のガードを取り付けることができるようになる。
【００１５】
そのため、格別に棚に商品落下防止用のガードを設ける必要がなくなる。また、高さ寸法が異なる商品を棚上に陳列する場合であっても、商品の大きさに応じてガードを変更することなく、当該商品落下防止用のガードを取り付ける高さを変更することで、各商品の高さに応じた商品落下防止を実現することができるようになる。
【００１６】
請求項２の発明によれば、上記発明において、商品落下防止用のガードは、棚の長手方向に渡って延在するガード本体と、該ガード本体を受けるガード受けとから成り、該ガード受けを係合孔に係脱自在に取り付けたので、ガード受けを介在させてガード本体を取り付けることができ、安定してガードを支柱の係合孔に保持することができるようになる。これにより、より確実に棚上に陳列された商品の落下を防止することができるようになる。
【００１７】
請求項３の発明によれば、上記発明において、ガード受けは、複数の係合孔にそれぞれ係合される複数の係合爪を備えるので、より一層、確実にガード受けを支柱の係合孔に係止させることができるようになる。これにより、ガード自体の取付状態が安定し、より一層、確実に棚上に陳列された商品の落下を防止することができるようになる。
【００１８】
請求項４の発明によれば、上記請求項２又は請求項３の発明において、ガード受けは、ガード本体を保持するガード保持部を有すると共に、当該ガード保持部は、棚内方に向けて開口し、ガード本体を保持するので、商品が前に押し出される場合であっても、前面に設けられた商品落下防止用のガードが、前方に押され、ガード受けから容易に外れてしまう不都合を未然に回避することができるようになる。
【００１９】
請求項５の発明によれば、上記請求項２又は請求項３の発明において、ガード受けは、ガード本体を保持するガード保持部を有すると共に、当該ガード保持部は、上方に開口し、ガード本体を保持するので、商品が棚に陳列されている状態のまま、容易にガード本体をガード保持部から係脱させることができ、商品を陳列させたままで、商品落下防止用のガードの高さを変更することができるようになる。
【発明を実施するための最良の形態】
【００２０】
以下、図面に基づき本発明の実施形態を詳述する。尚、以下の実施例で説明するショーケース１は、例えばコンビニエンスストア等の店舗に設置されてコーヒーやお茶などのペットボトル入り飲料若しくは缶飲料を冷却若しくは加温しながら販売する所謂卓上型のホット＆コールドショーケース（冷却／加温切換使用可能なショーケース）である。
【００２１】
即ち、図１は本発明を適用した実施例のショーケース１の斜視図、図２はショーケース１の内部構造を示す斜視図、図３はショーケース１の部分拡大斜視図、図４は図３の部分拡大図をそれぞれ示している。実施例のショーケース１の本体３は、発泡ポリウレタンなどから成る図示しない断熱壁とこの断熱壁の周囲を囲繞する硬質合成樹脂製のケース６から構成されている。そして、この本体３の四隅に位置して前支柱７、７及び後支柱８、８が立設されており、これら支柱７、７、８、８には透明ペアガラス製の左右の縦長の透明壁９、９が支持され、上部には天壁１１が取り付けられている。
【００２２】
また、前から向かって右側の前支柱７及び後から向かって左側の後支柱８には透明ペアガラス１２Ａを填め込んだ透明壁としての縦長の扉１２（後の扉は図示せず）が回動自在に枢支されており、本体３上にこれら透明壁９、９、扉１２、１２及び天壁１１により囲繞された陳列室１４が構成されている。そして、扉１２、１２はこの陳列室１４の前後面の開口を開閉自在に閉塞することになる。尚、１５はこの扉１２の非枢支側（向かって左側）の上下方向（長手方向）の中央前面に取り付けられた把手である。
【００２３】
前記本体３の下方には周囲にグリル１７・・・（本体３もパネル１３で周囲が覆われる）が取り付けられた機械室１８が構成されており、この機械室１８内には冷却装置の冷媒回路を構成する図示しない圧縮機や凝縮器が設置される。本体３の前記断熱壁内には上面が開口した図示しない冷却室が構成され、この冷却室内には前記冷媒回路を構成するこれも図示しない冷却器と送風機が設置されている。そして、本体３の前から向かって右側には手前から奥に渡って冷気吐出口２１が構成されており、向かって左側には手前から奥に渡って冷気吸込口２２が構成されている。この冷気吸込口２２は冷却室内の前記冷却器の冷気吸込側に連通し、冷気吐出口２１は冷気吐出側に連通している。これにより、冷却室において冷却器と熱交換した冷気を送風機で冷気吐出口２１から陳列室１４内に吐出し、陳列室１４内の冷気を冷気吸込口２２から吸い込む循環を行うことで、陳列室１４内を所定の冷蔵温度に冷却可能としている。
【００２４】
また、機械室１８の底面を構成するベース１９の四隅には図示しないアングルが立設されている。一方、前支柱７、７及び後支柱８、８にはそれぞれ金属製（鋼板）の補強材２３（支柱７、８をそれぞれ補強する）が取り付けられている。各補強材２３は、前支柱７、７の前面（外面）及び天壁１１の前面（外面）、後支柱８、８の後面（外面）及び天壁１１の後面（外面）にそれぞれ渡るように配置されて全体としては略門型を呈しており、その下端は前記アングルに固定されている（後側の補強材は図示せず）。
【００２５】
陳列室１４内には、商品陳列用の上下３段の棚２、２、２が架設されている。この場合、後支柱８、８の前面（陳列室１４側の面）には棚支持部８Ａが形成されており、この棚支持部８Ａには複数の係合孔３３・・が上下に渡って所定間隔で形成されている。また、前支柱７、７には相互に対向する面にも棚支持部７Ａが形成され、この棚支持部７Ａにも複数の係合孔３４・・が上下に渡って所定間隔で形成されている。そして、後述する如く各棚２・・が後支柱８に形成された係合孔３３及び前支柱７に形成された係合孔３４に係合することで架設される。
【００２６】
一方、棚２・・は商品を加温販売可能な棚とされている。即ち、棚２は矩形金属板から成る本体２４と、この本体２４の周囲を囲繞する硬質樹脂製の枠材２６にて構成されている。この本体２４の内面には図示しない電気ヒータが取り付けられており、棚２・・上にて缶入り飲料やペットボトル入り飲料などの商品を加温販売する場合には、最も下の棚２から上への冷気循環を停止した状態で、前記電気ヒータに通電し、棚２の本体２４上の商品を加熱する。尚、図１中、２７は棚２とその外側の透明壁９との間に構成される冷気通路において最上段の棚２とその下側の棚２に設けられるダンパーであり、回動することで、当該冷気通路を開閉する。
【００２７】
また、３１、３１は当該棚２を架設するための棚受けである。棚受け３１を棚２の下面の後隅部にネジ止めすることにより、棚受け３１を棚２の下面の後両側に取り付ける。
【００２８】
一方、そして、何れかの係合孔３３に後部両側の棚受け３１を挿入して係合し、棚２の前端両側に突出する前側の図示しない係合突起を係合孔３４に挿入係合することで、棚２は前部を低くした傾斜状態で架設される。
【００２９】
尚、実施例では陳列室１４内に上下３段架設されるが、最下段の棚２はデッキパンとされ、上述したような架設構造では無く前支柱７、７、後支柱８、８に傾斜状態で固定されている。
【００３０】
係る構成により、最上段の棚２とその下側の棚２の架設位置は、棚受け３１及び係合突起３２を係合させる係合孔３３、３４の位置を変更することで、上下に移動可能とされている。
【００３１】
尚、図２中、３６は、前支柱７、７内に係合孔３４の前側にて開口して形成される収納溝であり、前記各棚２の電気ヒータのリード線３７はこの収納溝３６内に収納されて降下する。そして、機械室１８の前から向かって右後隅部に設けられた電装箱３８に接続されて当該電装箱３８と各電気ヒータとを結ぶことになるが、最上段の棚２からのリード線３７は前から向かって右側の前支柱７の収納溝３６内に配置され、その下段の棚２からのリード線３７は左側の前支柱７の収納溝３６内に配置される。更に、本体３のケース６前部には上方に開口した収容部４１、４１が上方に開口して一体に形成されており、最上段の棚２のリード線３７の残余部分は前から向かって右側の収容部４１に、その下段の棚２からのリード線３７は左側の収容部４１内に収容される。
【００３２】
次に、本発明の商品落下防止用のガード４３について図３及び図４を参照して説明する。本実施例における商品落下防止用のガード４３は、棚２の前縁上方に位置して前支柱７、７間に渡って構成される線条（金属細棒）から成るガード本体４４と、当該ガード本体４４の両端に係脱自在に取り付けられるガード受け４５、４５とから構成される。
【００３３】
ガード受け４５は、図４に示す如く棚２内方、本実施例では後方に開口を有するガード保持部４５Ａと、当該ガード保持部４５Ａの前支柱７側に突出して形成される図示しない上部係合爪と、ガード保持部４５Ａの下側に降下した後、前支柱７側に突出して形成される下部係合爪４５Ｂとから構成される。ここで、ガード受け４５に形成される上部係合爪と下部係合爪４５Ｂとの間隔は、前支柱７に形成される隣接する係合孔３４との間隔と略同一であるものとし、隣接する上下の係合孔３４、３４にこれら係合爪が係脱自在に係止可能であるものとする。
【００３４】
係る構成により、商品落下防止用のガード４３を取り付ける場合には、先ず、棚２上に載置する商品の高さ寸法に応じた高さに位置する前支柱７の係合孔３４にガード受け４５の上部係合爪を係止させる。このとき、ガード受け４５の下部係合爪４５Ｂも上部係合爪が係合する係合孔３４の下側に位置する係合孔３４に係止させる。これにより、確実にガード受け４５を前支柱７に固定される。
【００３５】
その後、ガード本体４４の両端をガード受け４５のガード保持部４５Ａに係合させる。このとき、ガード保持部４５Ａは、上述した如く棚２内方に開口して形成されているため、棚２内方側からガード本体４４を挿入して係合させる。
【００３６】
これにより、ガード本体４４は、予め棚２を取り付けるために形成された係合孔３４を用いて棚２の前縁上方に容易に取り付けることができる。このとき、ガード本体４４は、棚２とは別部材によって構成されているため、取付位置は、ガード受け４５を係合させる係合孔３４の位置を変更することで、棚２上に載置される商品の高さに応じて任意に調整することができる。
【００３７】
そのため、従来のように格別に棚に商品落下防止用のガードを設ける必要がなくなる。また、高さ寸法が異なる商品を棚２上に陳列した場合であっても、商品の大きさに応じてガードを変更することなく、当該商品落下防止用のガード４３を取り付ける高さを変更することで、各商品の高さに応じた商品落下防止を実現することができるようになる。
【００３８】
また、本実施例では、ガード本体４４は、ガード受け４５を介在させて前支柱７に係脱自在に係止させているため、安定してガード本体４４を前支柱７の係合孔３４に保持させることができるようになる。これにより、より確実に棚２上に陳列された商品の落下を防止することができるようになる。
【００３９】
更に、本実施例のように、棚２が前方に低く傾斜して前支柱７に架設されている場合など、商品の荷重が前方に加わる場合であっても、ガード受け４５に形成されるガード保持部４５Ａは、棚２内方、即ち、後方に開口して形成されているため、ガード本体４４が前方に押し出され、ガード受け４５から容易に外れてしまう不都合を未然に回避することができるようになる。
【００４０】
尚、本実施例では、ガード受け４５に形成される各係合爪の間隔は、隣接する上下の係合孔３４、３４間の間隔としているが、隣接していない係合孔３４、３４間の間隔、即ち、１つ置き又は２つ置きの係合孔３４、３４間の間隔と略同一の間隔としても良い。また、本実施例では、ガード受け４５に形成される係合爪は、２つであるが、上部係合爪のみ又はこれ以上であっても良い。
【００４１】
次に、他の実施例としての商品落下防止用のガード４７について図５及び図６を参照して説明する。係る実施例における商品落下防止用のガード４７は、上記実施例と同様のガード本体４４と、当該ガード本体４４の両端に係脱自在に取り付けられるガード受け４８、４８とから構成される。
【００４２】
ガード受け４８は、図６に示す如く上方に開口を有するガード保持部４８Ａと、当該ガード保持部４８Ａの前支柱７側に突出して形成される図示しない上部係合爪と、ガード保持部４８Ａの下側に降下した後、前支柱７側に突出して形成される下部係合爪４８Ｂとから構成される。尚、ガード受け４８に形成される上部係合爪と下部係合爪４８Ｂとの間隔については、上記実施例のガード受け４４と同様であるものとする。
【００４３】
係る構成により、商品落下防止用のガード４７を取り付ける場合には、先ず、棚２上に載置する商品の高さ寸法に応じた高さに位置する前支柱７の係合孔３４にガード受け４８の上部係合爪を係止させる。
【００４４】
その後、ガード本体４４の両端をガード受け４８のガード保持部４８Ａに係合させる。このとき、ガード保持部４８Ａは、上述した如く上方に開口して形成されているため、棚２上方からガード本体４４を挿入して係合させる。
【００４５】
これにより、係る実施例においても、ガード本体４４は、予め棚２を取り付けるために形成された係合孔３４を用いて棚２の前縁上方に容易に取り付けることができる。このとき、ガード本体４４は、棚２とは別部材によって構成されているため、取付位置は、ガード受け４５を係合させる係合孔３４の位置を変更することで、棚２上に載置される商品の高さに応じて任意に調整することができる。
【００４６】
そのため、従来のように格別に棚に商品落下防止用のガードを設ける必要がなくなる。また、高さ寸法が異なる商品を棚２上に陳列した場合であっても、商品の大きさに応じてガードを変更することなく、当該商品落下防止用のガード４７を取り付ける高さを変更することで、各商品の高さに応じた商品落下防止を実現することができるようになる。
【００４７】
また、本実施例では、ガード本体４４は、ガード受け４８を介在させて前支柱７に係脱自在に係止させているため、安定してガード本体４４を前支柱７の係合孔３４に保持させることができるようになる。これにより、より確実に棚２上に陳列された商品の落下を抑制することができるようになる。
【００４８】
また、係る実施例では、ガード受け４８に形成されるガード保持部４８Ａは、上方に開口して形成されているため、商品が棚２に陳列されている状態のまま、容易にガード本体４４をガード保持部４８Ａから外すことができ、商品を陳列させたままで、商品落下防止用のガード４７の高さを変更することができるようになる。
【００４９】
次に、もう一つの他の実施例としての商品落下防止用のガード５０について図７及び図８を参照して説明する。係る実施例における商品落下防止用のガード５０は、棚２の前縁上方に位置して前支柱７、７間に渡って構成される線条（金属細棒）から構成される。尚、係る線条の断面寸法は、前支柱７に形成される係合孔３４に係脱自在に挿入係合可能な寸法であるものとする。
【００５０】
係る構成により、商品落下防止用のガード５０を取り付ける場合には、例えば片方の端部を一方の前支柱７に形成される係合孔３４に挿入した状態でガード５０の弾性を利用して撓ませ、もう片方を他方の前支柱７に形成される係合孔３４に挿入することにより達成される。
【００５１】
これにより、係る実施例においても、ガード５０は、予め棚２を取り付けるために形成された係合孔３４を用いて棚２の前縁上方に容易に取り付けることができる。このとき、ガード５０は、棚２とは別部材によって構成されているため、取付位置は、挿入係合させる係合孔３４の位置を変更することで、棚２上に載置される商品の高さに応じて任意に調整することができる。
【００５２】
そのため、従来のように格別に棚に商品落下防止用のガードを設ける必要がなくなる。また、高さ寸法が異なる商品を棚２上に陳列した場合であっても、商品の大きさに応じてガードを変更することなく、当該商品落下防止用のガード５０を取り付ける高さを変更することで、各商品の高さに応じた商品落下防止を実現することができるようになる。
【００５３】
尚、上記各実施例では４面ガラスタイプのショーケースを例にとって説明したが、それに限らず、棚を有するショーケース全般に本発明は有効である。
【図面の簡単な説明】
【００５４】
【図１】本発明を適用した実施例のショーケースの斜視図である。
【図２】図１のショーケースの内部構造を示す斜視図である。
【図３】図１のショーケースの部分拡大斜視図である。
【図４】図３の部分拡大図である。
【図５】他の実施例のガードを取り付けたショーケースの部分拡大斜視図である。
【図６】図５の部分拡大図である。
【図７】もう一つの他の実施例のガードを取り付けたショーケースの部分拡大斜視図である。
【図８】図７の部分拡大図である。
【図９】従来のショーケースの斜視図である。
【符号の説明】
【００５５】
１    ショーケース
７    前支柱
７Ａ  棚支持部
８    後支柱
８Ａ  棚支持部
９    透明壁
１４  陳列室
３３、３４  係合孔
４３、４７  ガード
４４  ガード本体
４５、４８  ガード受け
４５Ａ、４８Ａ  ガード保持部
４５Ｂ、４８Ｂ  下部係合爪
【図１】
2006102345.tif 000003
【図２】
2006102345.tif 000004
【図３】
2006102345.tif 000005
【図４】
2006102345.tif 000006
【図５】
2006102345.tif 000007
【図６】
2006102345.tif 000008
【図７】
2006102345.tif 000009
【図８】
2006102345.tif 000010
【図９】
2006102345.tif 000011